(57)【特許請求の範囲】
【請求項１】
液体分配装置であって、
（ａ）分配されるべき液体製品を保持し、第１の端部の出口と第２の端部とを有する容器と、
（ｂ）前記容器を受け入れ、該容器を保持する支持体を有している結合部署と、
（ｃ）前記容器から液体製品を受け取り、また入口と出口とを有している貯蔵タンクと、
（ｄ）前記結合部署に連結され、また前記容器の出口を受け入れる入口と前記貯蔵器の入口に連結される出口とを有している結合カップとを具備し、
（ｅ）前記容器が、前記容器を最初に持つための前記第１の端部の近くに位置する第１の取っ手と前記容器を前記結合部署に挿入されている間、持つための前記第２の端部の近くに位置する第２の取っ手とを有し、
前記第１の取っ手が前記容器の出口を越えて延びる延長部材を有し、前記第２の取っ手により保持され容器が落下した時、延長部材が容器の出口が損傷しないよう保護し、また前記結合部署が前記貯蔵器の位置する空洞を形成する下側部分を有し、該下側部分が貯蔵器と液体製品とを見ることのできる開口を有している、
液体分配装置。
【請求項２】
（ａ）前記容器の出口の近くに形成された阻止部分を有する前記容器と、
（ｂ）前記結合カップの近くに係合阻止切込みを有し、前記阻止部分と阻止切込みとが前記結合カップに接近するのを制限する前記結合部署と、
（ｃ）低水位の液体製品を検出できるように前記貯蔵タンクに連結された低水位警報装置とを、
さらに具備する請求項１に記載の分配装置。
【請求項３】
分配されるべき液体製品を保持し、分配装置と共に用いる容器であって、前記分配装置が結合カップと結合カップの近くの阻止切込みとを有する結合部署を有している前記容器において、
（ａ）内部空洞を区画形成し、第１の端部と第２の端部とを有する外側殻体と、
（ｂ）前記第１の端部の近くに位置し前記空洞と流体が連通するようになっている出口と、
（ｃ）前記第１の端部の近くに位置し容器を最初に持つための第１の取っ手と前記第２の端部の近くに位置し容器を結合部署に挿入されている間に持つための第２の取っ手とを、具備する分配されるべき液体製品を保持し、
前記第１の取っ手が容器の前記出口を越えて延びる延長部材を有し、前記第２の取っ手により保持され容器が落下した時、延長部材が容器の出口が損傷しないよう保護し、また前記結合部署が貯蔵タンクの位置する空洞を形成する下側部分を有し、該下側部分が貯蔵タンクと液体製品とを見ることのできる開口を有している、
分配装置と共に用いる容器。
【発明の詳細な説明】
【０００１】
【発明の属する技術分野】
本発明は広くは密閉された包装液体分配装置に関しさらに詳細には再使用可能な包装を含み貯蔵器に分配することのできる容器を取扱うのが容易な液体製品分配装置に関する。
【０００２】
【従来の技術】
多くの装置が、液体製品を洗濯機械のような最終用途に分配するために開発されてきた。分配装置の目的は使用者に好都合なようにすることである。すなわち、分配されるべき製品は容器を取扱うのに容易でなければならず、製品は安全に分配されまた種々の安全な特徴をもたらすことができる。これらの特徴は望み通りの製品が分配されているのを確実にするための阻止装置と製品の容器が空になった時を表示するための警報装置とを含んでいる。多数の装置が液体洗濯製品を分配するために開発されてきたが、しかしこれらの装置は１つ又は複数の所望の領域に限られていた。本発明は液体洗濯製品の分配に関して記載されているが濃縮され潜在的に腐食性の液体製品が取扱われる場合は全てより広い使用のために考え出されたものである。
【０００３】
現在考えられている洗濯用分配装置の多くは液体濃縮物を直接液体濃縮物が収容されている容器から洗濯機に分配するものである。固体の塊まりの製品の分配装置はしばしば低水位警報装置と十分目視可能な表示装置とを利用する能力のような付加的な利点をもたらす中間貯蔵器を含んでいる。
【０００４】
【発明が解決しようとする課題】
本発明は液体分配装置に要求される特徴に向けられるものである。
【０００５】
【課題を解決するための手段】
本発明は分配されるべき液体製品を保持する容器を有する液体分配装置である。この容器は第１の端部に出口を有しまた第２の端部を有している。容器を受け入れるため結合部署が設けられる。この結合部署は容器を保持するための支持部を有している。貯蔵タンクが容器の下側に配置され容器から液体製品を受け取る。貯蔵器は入口と出口とを有する。結合カップが結合部署に関連作動するよう連結される。結合カップは容器の出口を受け入れるようになっている入口を有しまた貯蔵器の入口に関連作動するよう連結された出口を有している。容器は最初に容器を把持するための第１の端部の近くに位置する第１の取っ手と容器を結合部署に挿入されている間に把持するための第２の端部の近くに位置する第２の取っ手とを有している。
【０００６】
他の実施態様においては、本発明は分配されるべき液体製品を保持する容器を有する液体分配装置である。容器は第１の端部に出口を有しまた第２の端部を有している。結合部署が設けられ容器を受け取る。結合部署は容器を保持するための支持部を有する。貯蔵タンクが容器の下側に配置され容器からの液体製品を受け取る。貯蔵タンクは出口と入口とを有する。結合カップが結合部署に関連作動するよう連結される。結合カップは容器の出口を受け入れるようになっている入口を有しまた貯蔵器の入口に関連作動するよう連結された出口を有している。容器インサート（挿入体）が容器の出口に関連作動するよう連結されている。このインサート（挿入体）は容器の出口に嵌まるよう構成された第１の外側部材を含んでいる。第２の内側部材が中心穴を有している。この中心穴はその第１の端部に開口を有している。第２の内側部材は第１の外側部材に関連作動するよう連結される。摺動部材が中心穴の中を摺動するよう構成される。この摺動部材は閉鎖位置と分配位置との間で移動可能である。スプリングが摺動部材と第２の内側部材との間に位置し、摺動部材を閉鎖位置に付勢する。第２の内側部材は開口を有する。摺動部材は閉鎖位置の時開口を密封し分配位置で開口を開放し、この分配位置で製品は前記第１の部材と第２の部材との間を開口と中心穴を通り結合カップの出口へと流れることができる。
【０００７】
他の実施態様では、本発明は分配されるべき液体製品を保持するための容器である。この容器は結合カップと結合カップの近くの阻止用切込みとを有する結合部署を有する分配装置と共に用いられるものである。この容器は内部空洞を区画形成する外側殻体を含んでいる。この殻体は第１の端部と第２の端部とを有する。出口が第１の端部の近くに位置している。この出口は内部空洞と流体が連通するようになっている。第１の取っ手が第１の端部の近くに位置し容器を最初に握るようにしまた第２の取っ手が第２の端部の近くに位置し容器を結合部署に挿入されている間握るようにする。好適な実施態様では、容器は容器の出口の近くに形成された阻止部分を含み結合部署の阻止用切込みと係合するようになっている。
【０００８】
【発明の実施の形態】
図面を参照すると、各図面を通じ同一番号が同一部分を示し液体分配装置は全体が１０で示されている。液体分配装置１０は内部に取付けられた結合カップ３０を有する結合部署２０を含んでいる。貯蔵タンク５０が結合カップ３０に流体が連通する入口５１を有している。結合部署２０は以下にさらに十分に述べられるように容器７０を受け入れるような大きさと形状に形成された空洞２１を有している。
【０００９】
貯蔵タンク５０は、分配されるべき液体製品を受け入れる内部空洞を有する貯蔵タンク５０を形成するため側壁５０ｃによって連結された頂部５０ａと底部５０ｂとを有している。貯蔵タンク５０は頂部５０ａに形成されたねじ付き入口５１を有する。２つの脚５２が底部５０ｂに形成されまた貯蔵タンク５０の長手方向軸線にほぼ直角に延びている。出口５３が、配送管１１がホース締結具１２により取付けられた係止部付き端部５３ａを有している。出口５３は水平部分５３ｃに連結されたほぼ垂直な部分５３ｂを有している。水平部分５３ｃはほぼ貯蔵タンク５０の長さだけ延びまた底部５０ｂの僅か下側に延びている。貯蔵タンク５０はまた側壁５０ｃを越えて突出する延長部５４を含んでいる。突出部５４は貯蔵タンクの一部であり貯蔵タンク５０に貯蔵された液体製品は貯蔵タンクと突出部分５４とに流入することができる。出口５３の水平部分５３ｃは貯蔵タンク５０から取出されるべき製品を貯蔵タンクの底から取出すことができる。第２のねじ付き開口５５が貯蔵タンク５０の頂部５０ａに形成されている。貯蔵器浮きスイッチ５６が開口５５に螺着される蓋５６ａを有している。蓋５６ａの下側に浮きスイッチ５６ｂが延びている。浮きスイッチ５６ｂは貯蔵タンク５０の中へと延び貯蔵タンク５０に貯蔵された製品の中で浮いている。浮きスイッチ５６ｂはワイヤ５７のような適当な手段によって低水位ランプ２２に電気的に接続される。このスイッチはまたワイヤ５８によって適当な動力源に接続される。
【００１０】
結合部署は図１，２及び１５に示されている。結合部署２０は上側部分２０ａと底部分２０ｂとを含んでいる。この２つの部分は仕切り２５により分離されている。仕切り２５は上側部分２０ａの基部と底部分２０ｂの頂部とを形成する。上側部分２０ａは前壁４２と後壁４３とによって左側壁４１に連結された右側壁４０を有している。壁４０〜４３は内部空洞２１を区画形成する。以下にさらに十分に記載されるように、内部空洞２１は容器７０を受け入れるような大きさと形状になっている。内部空洞２１はスロット４５が間に形成された２つの傾斜した表面４４を有している。仕切り２５は空洞２１の底を形成する。２つの傾斜表面４４は前壁４２の近くにある。傾斜表面４４は後壁４３の方に行くにつれて下方に向くようになっている。後壁４３の近くに容器７０の阻止構造のための係合用切込みが形成される。この係合用切込みは第２の水平表面１５１に壁１５２により連結された第１のほぼ水平な表面１５０によって形成されている。第２の壁１５３が第２の水平表面４７を仕切り２５に連結する。鏡像構造が空洞の他側に形成され結合カップ３０の近くに係合用切込みを形成する。
【００１１】
底部分２０ｂが、前壁４８と後壁４９とにより関連作動するよう連結されている右側壁４６と左側壁４７とによって形成される。壁４６〜４９は貯蔵タンク５０が配置される下部空洞２３を区画形成する。前壁４８は貯蔵タンク５０の突出部５４を見るために形成された開口２４を有している。第１の開口２５ａが仕切り２５に形成され入口５１を位置決めするための空間を提供する。第２の開口２５ｂがまた仕切り２５に形成され第２のねじ付き開口５５と蓋５６ａとを位置決めするための開口を提供する。
【００１２】
貯蔵タンク５０は下部空洞２３の中に位置し基板１３とねじ１４とによって所定位置に保持される。取出し管の第１の端部１１ａが前に記載したようにホース締結具１２によって係止部付き端部５３ａに連結される。取出し管１１の第２の端部１１ｂがホース締結具１２により出口マニホルド１５に連結される。出口マニホルド１５は随意であるが貯蔵タンク５０の中の製品を１つより多い場所に分配できるようにする。出口マニホルド１５はマニホルドブロック１５ｂに連結される入口１５ａを有している。複数の出口１５ｃが設けられ入口１５ａと流体が連通するようにしている。図２に示されるように、数個の出口は、使用されていない時のためにボルトにより蓋がかぶせられる。使用時の出口１５ｃは蠕動ポンプのような適当なポンプ又は液体製品を貯蔵器５０から取出す他の適当な手段に連結されている。
【００１３】
出口マニホルド１５は壁ブラケット１７に固定される取付けブラケット１６のような適当な手段によって結合部署２０の後側に固定される。壁ブラケット１７はねじ１８とトグルインサート１９のような適当な手段によって壁に取付けられる。
【００１４】
低水位ランプが貯蔵タンク５０の中の液体の液面が低い時についての表示を与えるが、操作員がどのくらいの液体製品が貯蔵タンク５０に残っているかを目で見て決定するのが有利であることが多い。したがって貯蔵タンク５０は開口２４の中に延出する突起５４を有している。この突起５４は貯蔵タンク５０の一部を形成しているため、貯蔵タンク５０の液面は突起５４におけるのと同じである。したがって、貯蔵器の突起５４が結合部署２０の壁の縁にあるため、操作員は貯蔵タンク５０の中に残された製品の量を突起５４を見ることにより目で確めることができる。貯蔵タンク５０は典型的には透明なプラスチックから形成されそれにより液体製品が操作員によりさらに容易に見られるようにする。
【００１５】
容器７０はねじ付きの出口７１を有する。円形のリップ７２がねじの基部の出口の周りに形成される。全体が９０で示される瓶インサート（瓶挿入体）が出口７１の内側に固定されている。図５と８に最も良く見られるように瓶インサート９０は第１の部分９１、スプリング９２、カバー９３及び摺動部材９４を含んでいる。図５の分解斜面図はスプリング９２を示していない。しかし、スプリングは図８に示されるように、図５に示されたカバー９３と第１の部分９１との間に現われる。第１の部分９１はほぼ円筒形の第１の外側部材９５を含んでいる。第１の外側部材９５の外径は出口７１の内側に摩擦嵌合するような大きさとなっている。シーリングリブ９６が外側部材９５の周りに延びている。第２の内側部材９７が円筒形であり第１の外側部材９５の内側に位置している。第１の外側部材９５と第２の内側部材９７の端部は環状リング９８により連結される。図１４に示されるように、第２の環状リング９９が第１の環状リング９８に関連作動するよう連結される。環状リング９９は非常に薄く、約０．０１０インチ（０．２５４mm）の厚さである。さらに、第２の環状リング９９の外周縁は第１の環状リング９８の外周を越えて約０．０２０インチ（０．５０８mm）だけ延びている。以下にさらに十分に記載されるように、第２の環状リング９９はインサート９０を容器７０にシールするのに用いられる犠牲材料である。２つのスロット１００が外側部材９５に形成されている。このスロット１００の目的は第２の内側部材９７の他の組のスロット１０１を切断し易いようにすることである。内側部材９７は頂部９７ａを有し、通気管受け９７ｂが頂部９７ａに形成される。通気管受け９７ｂは中心穴９７ｃを有している。好ましくは、第１の部分９１は当該技術では周知の手段によって単一のプラスチック部材として形成される。
【００１６】
第２の内側部材９７は摺動部材９４が位置決めされる中心穴を有している。摺動部材９４は底部９４ｂにより関連作動するよう連結された円筒形側壁９４ａを有している。底部９４ｂはこれに形成された開口９４ｃを有する。２つのシールビード９４ｄが側壁９４ａの頂部と底部に形成される。底部９４ｂは開口９４ｃに通じる円錐形表面を有している。円形隔離リング９４ｅが底部９４ｂの内部に形成される。好ましくは、摺動部材９４は当該技術で周知の方法により単一プラスチック部材として形成される。
【００１７】
カバー９３はほぼ円板の形状である。一側に、交差強化部材９３ｂを有する強化円形部材９３ａがある。プラグ９３ｃが円板９３の他側に形成される。プラグ９３ｃは形状がほぼ円形であり開口９４ｃをシールする大きさとなっている。カバー９３は図８に示されるように隔離リング９４ｅに着座する。力がプラグ９３ｃに作用しなければ、これがインサートにとって典型的な閉じた位置となる。スプリング９２は頂部９７ａとカバー９３との間に位置しカバーを摺動部材９４の底部９４ｂに押しつけるようにする。
【００１８】
瓶インサート（挿入体）の第２の実施態様が図１１に示されている。瓶インサート２９０と前に記載した瓶インサート９０との間の僅かの相違は頂部２９７ａが中実でありそこに形成された開口を有していないことである。
【００１９】
結合カップ３０はほぼ円筒形に形成された部材である。結合カップ３０は、円筒形で内側ねじ付き部分３１ａを有する下側部分３１を含んでいる。このねじ付き部分は結合カップ３０を貯蔵器５０の入口５１に螺着し固定するのに用いられる。ガスケット１２０が入口５１を結合カップ３０にシールするのに用いられる。上側部分３２もまた円筒形状であり下側部分３１より僅かに大きく形成されている。リップ３２ｂが内部空洞３４の頂部の近くに形成され容器７０とスナップ嵌め（弾性嵌合）を形成する。複数のリブ３３が設けられ結合カップ３０を掴むのを助け結合カップ３０を入口５１に螺着しまた取外すのが容易となるようにする。上側部分３２は容器７０の出口７１を受け入れる大きさの受け入れ空洞３４を区画形成する。中央シリンダー３６が底部材３２ａに連結される。シリンダー３６は外側シール壁３６ａを有する。シリンダー３６により形成された中心穴３５は上側部分３２を通って延び下側部分の内部空洞３１ｂと流体が流通するようになっている。内部空洞３１ｂは貯蔵器５０と流体が流通するようになっている。複数のＬ字形フランジ３７が上側部分３２の内壁に形成されている。このＬ字形フランジは側部表面３７ａと底部表面３７ｂとを有している。側部表面３７ａは、表面３７ａの頂部が底部３７ｂの近くの側部表面３７ａの底部からよりも結合カップ３０の長手方向軸線から離れているように角度がつけられている。したがって、容器７０の出口７１が結合カップに挿入されるにつれて、側部表面３７ａが案内として用いられ出口７１を結合カップ３０に対し中心を合わせるようにする。フランジ３７はこれが結合カップ３０に挿入されるにつれて容器７０の位置決めができるようにする。さらに、フランジ３７の底部３７ｂは容器７０がさらに挿入されないよう停止させるリムを区画形成する。
【００２０】
中央通気管３８が円筒体３６の中央に位置し３つの連結部材３９により所定位置に保持されている。連結部材３９は簡単に中央通気管３８を連結しまたこれを中心穴３５の内部に穴３５を通る製品の流れを閉塞しないで位置させる。中央通気管３８はその全長にわたって延びかつ下側部分３１の内部空洞３１ｂに開口する穴３８ａを有している。不作動通気管４１が中央通気管３８の底部に形成されそして中央通気管３８から結合カップ３０の外縁へとほぼ直角に延びている。図３に見られるように、通気管４１の外側半円壁のみが示されている。本実施態様の通気管４１の使用によっては実際上の通気作用は行われない。作動通気管４１が結合カップ３０の第２及び第３実施態様について以下にさらに十分に記載される。
【００２１】
結合カップ２３０の第２の実施態様が図９に示され第３の実施態様３３０が図１０に示されている。第２の実施態様２３０は通気作用が得られる点を除き第１の実施態様３０と類似している。したがって、相違点のみが述べられ、カップ２３０と３３０の残りの部分は結合カップ３０と同様である。図６に示されるように、中心穴３８ａは全長にわたって下側部分３１の内部空洞３１ｂまで延びている。しかし、第２の実施態様では、穴２３８はその底部が閉じられ内部空洞には通じていない。さらに、通気管４１は図３に見られるように不作動である。しかし、第２の実施態様では、通気管２４１は穴があけられ中心穴２３８から結合カップ２３０の外側まで延びている。
【００２２】
結合カップ３３０の第３の実施態様は図１０に示されている。通気口３４１は第２の実施態様２３０の結合カップにおけるのと同様に穴があけられている。しかし、中心穴３３８ａは第１の実施態様と同様に下側部分の内部空洞に開口している。結合カップは好ましくは当該技術で周知の方法により形成されたプラスチックの単一部材である。
【００２３】
容器７０はブロー成形のような任意の適当な方法によって形成することができる。容器７０は２つの取っ手がつけられた容器である。容器７０は相互に鏡像関係にある２つの側壁７３と７４を有している。これら側壁は中央部分７３ａ、上側部分７３ｂ及び下側部分７３ｃを有している。上側及び下側の部分７３ｂと７３ｃは側壁の後側からそれぞれ上方と下方に延びている。ほぼ矩形の後壁７５が側壁７３と７４の後側を連結する。前壁７６は水平部分７６ｃに連結される傾斜部分７６ｂに連結された第１のほぼ垂直の部分７６ａを有している。水平部分７６ｃはほぼ垂直の部分７６ｅに連結される傾斜表面７６ｄに連結される。前壁７６は側壁７３と７４の前端を連結する。第１の取っ手７７が容器７０の一端に形成されている。この取っ手７７は前壁７６ａに連結された一端と前壁７６ｂに連結された他端とを有する。通気孔７８が取っ手７７に形成され蓋７９により閉鎖される。通気孔７８は好ましくは取外し可能な箔の内張りで被覆される孔である。蓋７９がついで通気孔７８に螺着され通気が必要な時蓋７９が取外され箔が突通され又は取外され容器７０の内部空洞と流体が連通するようになっている通気部に形成された孔を露出させる。第２の取っ手８０が前壁７６ｄと前壁７６ｅとの間に連結されている。ねじ付き出口７１が頂部８１に形成される。出口７１は外側にねじを有し蓋１１０が固定される。容器はまた上側部分７３ｂと７４ｂとの間に連結された底部８２を有している。頂部８２と底部８１は容器が向けられる方向に依存する相対的なものであることが理解されるべきである。第２の取っ手８０は中実で出口７１の端部を越えて延びている延長部８０ａを有する。これは瓶が第１の取っ手により把持された時に落下する場合の保護をもたらす。
【００２４】
出口７１の近くに阻止構造８３が形成される。阻止構造８３は結合部署２０に形成された係合切込みと係合する大きさとなっている。阻止構造８３は垂直部分８３ｂによって第２の水平部分８３ｃに連結された第１の水平部分８３ａを含んでいる。鏡像構造が出口カップの他側に形成されている。部分８３ａが水平表面１５０に載るようになり部分８３ｃが水平部分１５１に載るようになる。阻止構造の幅と長さは係合切込みの幅と長さに合致している。傾斜表面７６ｄは容器７０が結合部署２０に挿入された時傾斜表面４４に載る。
【００２５】
図１８と１９は容器７０の他の実施態様を示す。第２の実施態様１７０と第３の実施態様２７０とは第２及び第３の実施態様の阻止構造を除き第１の容器７０と同じである。
【００２６】
図１８を参照すると、阻止構造１８３はこれが結合部署２０の係合切込みの中に嵌まらないような大きさと形状になっている。例えば交差部材１８３ａが位置し結合部署２０に挿入されたならば交差部材１８３ａが幅が広く表面１５０に衝き当たり容器１７０が結合部署２０に嵌まらないようになっている。容器１７０を用いるためには、他の結合部署（図示しない）が阻止構造１８３の係合部と合致する係合切込みを有することが必要である。したがって、容器１７０に収容されている製品は阻止構造１８３に合致する係合切込みを特に有する結合部署に分配されるだけである。
【００２７】
同様に、図１９は阻止構造２８３を有する容器２７０のさらに他の実施態様を示す。図１９に示される構造は結合部署２０の係合切込みには嵌まらずまた容器１７０のために構成されている結合部署にも嵌まらないようになっている。交差部材２８３ａは阻止構造８３より幅が広くそのため結合部署２０の係合切込みに嵌まらない。また交差部材２８３ａは、挿入を出来なくするために、容器１７０の交差部１８３ａのように、容器２７０の縁部にある。さらに他の結合部署（図示しない）が阻止構造２８３の係合部と合致する係合切込みを有するよう構成される。阻止構造と係合切込みとは互いに相いれないような大きさと形状に形成され誤った製品を不適当な結合部署を通って分配することがないようにする。このような方法で、操作員は与えられた製品を与えられた結合部署（貯蔵部）から分配することだけができる。したがって、誤った製品は、係合切込みと阻止構造とが互いに相いれず正しい容器が正しい結合部署（貯蔵部）に合致していなければ容器は結合カップ３０に正しく着座しないため、誤った貯蔵部から分配されることはない。
【００２８】
プラスチック対プラスチックのシールを得るため、分配装置１０は異なった硬さを有する様々なプラスチックを利用する。結合カップ３０は第１の硬度の材料で形成される。摺動部材９４は結合カップの材料よりも堅さの低い第２の材料から形成される。さらにまた、シールカバー９３は第２の材料より堅さの低い第３の材料から形成される。この堅さの相違はプラスチックとプラスチックのシールを可能にする。好ましい実施態様では、結合カップ３０はポリプロピレンから形成され、摺動部材９４は高密度ポリエチレンから、カバー９３は低密度ポリエチレンから形成される。
【００２９】
瓶インサート９０を使用のため組立てるに当り、スプリング９２は内側部材９７の内部に置かれる。カバー９３が次に第２の内側部材９７の中に挿入される摺動部材９４の内部に置かれる。２つのシールビード９４ｄは第２の内側部材９７の穴より僅かに大きく形成されそれにより内部に押込まれるにつれてシールが生じるようにする。しかし、シールビードは摺動部材９４が内側部材９７の穴の内部を摺動するのを妨げるほどには大きくされていない。瓶インサートはそれから入口７１の内部に置かれる。瓶インサート９０は入口７１の開口と摩擦嵌合を形成するような大きさとされる。しかし、容器は一般的にはブロー成形されるため、液密のシールを得るように公差を制御することは難しい。したがって、出願人は環状リング９９に犠牲的材料を使用し瓶インサート９０を出口７１の内部でシールする。ねじ蓋１１０が箔の内張り１１０ａを有する。このねじ蓋１１０は出口７１に螺着される。誘導加熱が当該技術で周知の手段により付与され、そして犠牲材料９９は溶融しシールを形成し瓶インサート９０と出口７１との周りに漏れがないようにする。犠牲材料の量が制限されそれによりこの材料が内方に流入し摺動部材９４を融解し環状リング９８にまで流れないようにすることが重要である。
【００３０】
容器７０はまた第１の取っ手７７に形成される通気口７８なしで形成することができる。
【００３１】
使用に当り、液体分配装置１０は安全で使用が容易な液体製品の貯蔵と用途を提供する。容器７０はその出口７１が上方を向くようにして箱に容れて輸送される。容器７０はこの位置で、第１の取っ手７７を掴むことにより容易に取扱われる。容器７０の内部の製品が液体分配装置１０に必要となった時、第１の取っ手７７が握られ容器７０を持ち上げる。次に蓋１１０が取外される。それから容器は液体分配装置１０に用いるため逆さまにされる。逆さにされたとき、第２の取っ手８０が容器７０を握るのに用いられる。出口７１が下側に向けられた容器７０は次に結合部署２０に持って来られる。容器７０は結合カップ３０の上に位置決めされそして所定位置へと下降される。容器の阻止構造は結合部署（貯蔵部）の阻止切込みに合致し出口７１が結合カップ３０と接触するようにしなければならない。異なった阻止形状の使用が、誤った製品の液体分配装置への分配を防止するために利用される。この製品と結合部署（貯蔵部）はまた色でコード化され他の方式の正しい製品の確認を提供することもできる。
【００３２】
容器７０を結合カップ３０に挿入する段階の順序は図６から８に示されている。図８に示される位置は結合カップ３０と接触する直前の容器７０の位置である。この位置で、スプリング９２はカバー９３を開口９４ｃに押しつけている。さらに、摺動部材９４がスロット１０１を覆う位置にある。図８の矢印は容器７０の内部の製品の流れの位置を示す。しかし、摺動部材９４がスロット１０１を覆っているため、製品は容器７０の外に流れることはできない。
【００３３】
次に、図７に移ると、中央通気管３８の頂端が開口９４ｃを通ってカバー９３と接触し、これを開口９４ｃから離れるよう動かす。これは空気がスプリング９２を担持する室の中に入ることができるようにする。しかし、通気管３８がスプリング室の中に入るのを阻止する通気管３８の肩部がある。通気管は開口９４ｃからカバー９３を持ち上げさらに内部に移動するのを肩部によって停止させるだけである。この時点で、容器７０の結合カップ３０に向うさらなる運動は、通気管３８が摺動部材９４を第２の内側部材９７の内部を上方に向って動かすようにする。スプリング室９２をガス抜きすることにより、摺動部材はさらに図６に示されるように内側部材９７の中へと動くことができる。さらに、通気（ガス抜き）は容器７０が取去られた時スプリングが図８に示す位置まで十分に戻ることができるようにする。
【００３４】
図６に示されるように、容器７０はリップ３２ｂを摺動通過する容器７０のリップ７２によって結合カップ３０に固定される。これはリップ７２とリップ３２ｂとの間のスナップ嵌合を形成する。図６に示される位置で、摺動部材９４はスプリング９２が配設されている室の中へとさらに押し上げられる。この運動で、摺動部材９４はスロット１０１を通って移動する。これは製品が容器７０からスロット１０１を通り下側部分３１の内部空洞３１ｂへと流れることができるようにする（図６の矢印により示されるように）。下側部分３１は貯蔵タンク５０と流体が連通するようになっておりそのため製品は貯蔵タンク５０の中へと分配される。容器７０と結合カップ３０との間のスナップ嵌合又は他の保持手段が用いられなかったならば、スプリング９２は製品が分配されるにつれて容器７０を結合カップから離れるよう押すようになる。ある時点で、製品の重量がスプリングの付勢力に打勝つのに十分でなくなりそのため容器は結合カップ３０から離れて動くようになる。結合カップと容器との間のスナップ嵌合はこのようなことが起こらないようにする。
【００３５】
本発明は複数の粘性液体をガス抜きするため３つの異なった形態で用いられる。図６から８について記載された形態は通気管３８ａが底部で開口された結合カップ３０を用いることを記載している。通気管１０２が穴９７ｃの中に配置されている。通気管１０２は容器の中を容器の頂端の近くまで延びている。さらに、外側通気口７２が用いられる。これはより高い粘性の製品を分配できるようにする。
【００３６】
他の実施態様では、外側通気口７８は容器７０で用いられるが、しかし通気管は必要としない。この特定の実施態様では、第２の瓶インサート２９０が用いられまた第２の実施態様２３０の結合カップが用いられる。これは低い粘性の製品用である。
【００３７】
本発明のさらに他の実施態様は容器７０の外部通気口を用いないことである。しかし、通気管が利用されそのため瓶インサートの第１の実施態様が用いられる。第３の実施態様は容器の外部通気口７８を用いることである。通気管は利用されずそのため瓶インサートの第２の実施態様２９０が用いられる。結合カップの第３の実施態様３３０が利用される。これはガス抜きした低い粘性の製品のために用いられる。
【００３８】
異なった瓶インサートを備えた３つの結合カップの種々の組合せを用いることにより、広範囲の製品が効果的に分配できまた３つの異なった通気構造が詳細に記載されており、他の通気（ガス抜き）手段も本発明の範囲に入ることが理解される。
【００３９】
蠕動ポンプ又は他の適当なポンプが用いられ製品を貯蔵タンク５０から出口マニホルド１５を通り適当な最終使用の機械へと送るようにする。製品マニホルド１５は３つの異なる出口を有しそれにより３つの異なった最終使用の機械が分配装置１０に連結されるようにする。
【００４０】
上記の詳細、実例及びデータは本発明の構成の製造と使用の完全な記載を提供する。本発明の多くの実施態様が本発明の精神と範囲から逸脱することなく得られるため、本発明は特許請求の範囲に帰属するものである。
【図面の簡単な説明】
【図１】本発明の分配装置を示す斜面図である。
【図２】図１に示される分配装置の分解斜面図である。
【図３】図１に示される分配装置の結合カップのほぼ下側から見た斜面図である。
【図４】図３に示される結合カップのほぼ上側から見た斜面図である。
【図５】図１に示される分配装置の容器の一部、瓶挿入体（瓶インサート）、結合カップ及び結合部署（貯蔵部）入口の分解斜面図である。
【図６】完全開放位置で示される結合カップと瓶インサート（挿入体）の断面図である。
【図７】半係合位置で示される結合カップとインサート（挿入体）の断面図である。
【図８】完全閉鎖位置で示される結合カップとインサートの断面図である。
【図９】結合カップの第２の実施態様と瓶インサートの第２の実施態様の完全開放位置で示される断面図である。
【図１０】結合カップの第３の実施態様の断面図である。
【図１１】インサートの第２の実施態様の側面図である。
【図１２】図１に示される分配装置の貯蔵タンクの側面図である。
【図１３】図１２に示される貯蔵タンクの底面図である。
【図１４】瓶インサートの底面図である。
【図１５】図１に示される容器の斜面図である。
【図１６】図１に示される容器の側面図である。
【図１７】図１に示される容器の蓋の斜面図である。
【図１８】容器の第２の実施態様である。
【図１９】容器の第３の実施態様である。
【符号の説明】
１０…液体分配装置
２０…結合部署
２１…内部空洞
２２…低水位ランプ
３０…結合カップ
４１…通気管
４５…スロット
５０…貯蔵タンク
５０ａ…頂部
５０ｂ…底部
５０ｃ…側壁
５１…入口
５３…出口
５４…延長部（突起）
５５…開口
５６…浮きスイッチ
７０…容器
７１…出口
７２…リップ
７７，８０…取っ手
８３…阻止構造
９０…瓶インサート
９２…スプリング
９３…カバー
９５…第１外側部材
９７…第２内側部材
９８，９９…環状リング
１００，１０１…スロット
２３０，３３０…結合カップ
２４１…通気管
【図１】
0004223624.tif 000002
【図２】
0004223624.tif 000003
【図３】
0004223624.tif 000004
【図４】
0004223624.tif 000005
【図５】
0004223624.tif 000006
【図６】
0004223624.tif 000007
【図７】
0004223624.tif 000008
【図８】
0004223624.tif 000009
【図９】
0004223624.tif 000010
【図１０】
0004223624.tif 000011
【図１１】
0004223624.tif 000012
【図１２】
0004223624.tif 000013
【図１３】
0004223624.tif 000014
【図１４】
0004223624.tif 000015
【図１５】
0004223624.tif 000016
【図１６】
0004223624.tif 000017
【図１７】
0004223624.tif 000018
【図１８】
0004223624.tif 000019
【図１９】
0004223624.tif 000020